(57)【要約】  拡大可能なモバイル装置の実施形態において、当該装置は、当該装置の拡張及び後退を行うように互いに対してスライド式に嵌合する第１及び第２の筐体部分を含む。拡大可能なモバイル装置は、第２の筐体部分が第１の筐体部分から外にスライドするときに拡大可能なモバイル装置の内部から外に拡張するフレキシブルディスプレイを含む。フレキシブルディスプレイはまた、第２の筐体部分が第１の筐体部分内にスライドするときに、拡大可能なモバイル装置の内部に後退する。ローラが、第１の筐体部分内に一体化され、拡大可能なモバイル装置の後退位置において、前記フレキシブルディスプレイを固定半径で屈曲させて、フレキシブルディスプレイの第１の部分をフレキシブルディスプレイの第２の部分に対して略平行に位置付ける。
2014531796.tif 000002
【特許請求の範囲】
【請求項１】
拡大可能なモバイル装置の第１及び第２の筐体部分を、前記拡大可能なモバイル装置の拡張及び後退を行うよう、互いに対してスライド式に嵌合させることと、
前記第２の筐体部分が前記第１の筐体部分内にスライドするときに、フレキシブルディスプレイを前記拡大可能なモバイル装置の内部に後退させることと、
前記拡大可能なモバイル装置の後退位置において、前記フレキシブルディスプレイを固定半径で屈曲させて、前記フレキシブルディスプレイの第１の部分を前記フレキシブルディスプレイの第２の部分に対して略平行に位置付けることと、
を有する方法。
【請求項２】
前記第２の筐体部分が前記第１の筐体部分から外にスライドするときに、前記フレキシブルディスプレイの前記第２の部分を前記拡大可能なモバイル装置の前記内部から外に延在させること、を更に有する請求項１に記載の方法。
【請求項３】
前記フレキシブルディスプレイの前記第２の部分を前記拡大可能なモバイル装置の前記内部から外に前記延在させることのために、前記フレキシブルディスプレイの前記第２の部分を前記固定半径で回転させること、を更に有する請求項２に記載の方法。
【請求項４】
前記フレキシブルディスプレイを１８０°の曲げで屈曲させて、前記フレキシブルディスプレイの前記第１の部分を前記フレキシブルディスプレイの前記第２の部分に対して略平行に位置付けること、を更に有する請求項１に記載の方法。
【請求項５】
第１及び第２の支持板で前記フレキシブルディスプレイを支持することと、
前記拡大可能なモバイル装置の拡張位置において前記第１の支持板を前記第２の支持板の隣に位置付けることと、
を更に有する請求項１に記載の方法。
【請求項６】
前記拡大可能なモバイル装置の前記後退位置において前記第１の支持板が前記第２の支持板と嵌合するときに前記第１の支持板を前記第２の支持板の上に位置付けること、を更に有する請求項５に記載の方法。
【請求項７】
拡大可能なモバイル装置であって、
筐体部分が互いに対してスライド式に拡張するときに、当該拡大可能なモバイル装置の内部から拡張するように構成されたフレキシブルディスプレイであり、該フレキシブルディスプレイは更に、前記筐体部分が互いに対してスライド式に後退するときに、当該拡大可能なモバイル装置の前記内部内に後退するように構成される、フレキシブルディスプレイと、
当該拡大可能なモバイル装置の後退位置において、前記フレキシブルディスプレイを固定半径で屈曲させて、前記フレキシブルディスプレイの第１の部分を、当該拡大可能なモバイル装置の前記内部内の前記フレキシブルディスプレイの第２の部分に対して略平行に位置付ける、ように構成されたローラと、
を有する拡大可能なモバイル装置。
【請求項８】
前記ローラは、前記フレキシブルディスプレイを１８０°の曲げで屈曲させて、前記フレキシブルディスプレイの前記第１の部分を前記フレキシブルディスプレイの前記第２の部分に対して略平行に位置付ける、請求項７に記載の拡大可能なモバイル装置。
【請求項９】
前記フレキシブルディスプレイを支持するように構成された第１及び第２の支持板と、
前記ローラとギアで嵌合し、且つ当該拡大可能なモバイル装置の拡張位置において、前記第１の支持板を前記第２の支持板の隣に位置付ける、ように構成されたキャリアトラックと
を更に有し、当該拡大可能なモバイル装置の前記後退位置において、前記第１の支持板は、前記第１の支持板を前記第２の支持板の上に位置付けるように、前記第２の支持板と嵌合する、
請求項７に記載の拡大可能なモバイル装置。
【請求項１０】
前記フレキシブルディスプレイの後縁と前記キャリアトラックの端部とに取り付けられた巻取フィルムと、
当該拡大可能なモバイル装置が前記後退位置に閉じられるときに、前記巻取フィルムを巻き上げるように構成された巻取ローラと、
を更に有する請求項９に記載の拡大可能なモバイル装置。
【発明の詳細な説明】
【技術分野】
【０００１】
本開示は、モバイル（移動式）装置に関する。
【背景技術】
【０００２】
例えば移動電話、メディアプレーヤ、及びタブレットコンピュータなどのポータブル（可搬式）電子装置がますます一般的になっている。これらの種類の装置は、典型的に、一体化された表示装置を含んでおり、多くはデュアルディスプレイを含んでいる。例えば、モバイル装置は、２つの表示装置を隣り合わせに開いて、より大きい１つのディスプレイを形成するように、ヒンジ付けされることができる。ユーザは典型的に、ポケット又はハンドバッグに入れて都合よく持ち運べるように可能な限り小さい装置を望むが、より見やすいように、より大きい表示面を有する装置をも望む。ディスプレイ製造者は、より小型の可搬式電子装置に典型的に一体化されるものより大きい表示面を提供するために使用され得るフレキシブルディスプレイを開発している。しかしながら、フレキシブルディスプレイは、広げることができる装置内に丸められたり巻き取られたりするとき、又はヒンジ式装置内に折り畳まれるときに損傷されやすい。
【発明の概要】
【発明が解決しようとする課題】
【０００３】
この概要は、拡大可能なモバイル装置の概念を簡略化して紹介するものであり、この概念は、以下の詳細な説明にて更に説明され、且つ／或いは図面に示される。この概要は、請求項に係る事項の本質的な特徴を記述していると見なされるべきでなく、また、請求項に係る事項の範囲を決定あるいは限定するために使用されるべきでない。
【０００４】
拡大可能なモバイル装置を提供する。
【課題を解決するための手段】
【０００５】
実施形態において、拡大可能なモバイル装置は、当該装置の拡張及び後退を行うように互いに対してスライド式に嵌合する筐体部分を含む。拡大可能なモバイル装置は、１つの筐体部分が他の１つの筐体部分から外にスライドするときに当該装置の内部から外に拡張するフレキシブルディスプレイを含む。フレキシブルディスプレイはまた、筐体部分がスライドして合わさるときに拡大可能なモバイル装置の内部に後退する。
【０００６】
ローラが、装置内に一体化され、拡大可能なモバイル装置の後退位置において、フレキシブルディスプレイを固定半径で屈曲させて、フレキシブルディスプレイの第１の見える部分をフレキシブルディスプレイの第２の格納部分に対して略平行に位置付ける。ローラはまた、フレキシブルディスプレイを１８０°の曲げで屈曲させて、フレキシブルディスプレイの第１の部分をフレキシブルディスプレイの第２の部分に対して略平行に位置付ける。フレキシブルディスプレイの第２の部分は、拡大可能なモバイル装置の拡張位置に置いて、ローラ上を固定半径で転がって、筐体部分から外に延在する。
【０００７】
他の実施形態において、拡大可能なモバイル装置は、当該装置の後退位置及び拡張位置の双方でフレキシブルディスプレイを支持する支持板を含む。さらに、キャリアトラックが、ローラとギアで嵌合し、拡大可能なモバイル装置の拡張位置において第１の支持板を第２の支持板の隣に位置付ける。第１の支持板はまた、拡大可能なモバイル装置の後退位置において第１の支持板が第２の支持板と嵌合するときに、第２の支持板の上に位置付けられることができる。第２の支持板はまた、当該装置の拡張位置において第１の支持板が第２の支持板の隣に位置付けられるときに、当該第２の支持板をフレキシブルディスプレイの第２の部分の下に位置付けるように作動することができる。拡大可能なモバイル装置はまた、当該装置の拡張及び後退が行われるときに筐体部分を付勢する双安定機構を含むことができる。
【図面の簡単な説明】
【０００８】
以下の図を参照して、拡大可能なモバイル装置の実施形態を説明する。図面中に示される同様の機構及びコンポーネントを参照するために、同じ参照符号を全体を通して使用することがある。
【図１】１つ以上の実施形態に従った拡大可能なモバイル装置の例を示す図である。
【図２】１つ以上の実施形態に従った図１を参照して説明した拡大可能なモバイル装置の例を更に示す図である。
【図３】１つ以上の実施形態に従った図１を参照して説明した拡大可能なモバイル装置の他の一例を示す図である。
【図４】１つ以上の実施形態に従った拡大可能なモバイル装置の方法例を示す図である。
【図５】拡大可能なモバイル装置の実施形態が使用され得る電子装置の一例の様々なコンポーネントを示す図である。
【発明を実施するための形態】
【０００９】
フレキシブルディスプレイを含み、見える表示面積をおよそ倍増するように拡大されたり、典型的な手持ち式装置のフォームファクタを維持するように格納あるいは後退されたりすることが可能な、例えば移動電話又はタブレットコンピュータなどの拡大可能なモバイル装置を説明する。とりわけ、このフレキシブルディスプレイは、装置が後退位置にあるときに、巻き取られたり巻き上げられたりしない。むしろ、このフレキシブルディスプレイは、ＡＭＯＬＥＤフレキシブルディスプレイのＴＦＴ（薄膜トランジスタ）アレイに許容される最小の屈曲半径を提供するローラ上で一定の半径で屈曲する。拡大可能なモバイル装置の後退位置において、フレキシブルディスプレイの或る部分がローラ上で１８０°の曲げで屈曲し、これにより、フレキシブルディスプレイの見える部分が、装置の内部に格納されたフレキシブルディスプレイの格納部分に対して略平行に位置付けられる。
【００１０】
また、拡大可能なモバイル装置は、装置が拡大されてフレキシブルディスプレイが拡張されたときに固定支持を提供する支持板を含み、特に、タッチスクリーン式インタラクションのための剛性支持表面を提供する。フレキシブルディスプレイの第１部分に第１の支持板を固定することができ、該第１の支持板が、拡大可能なモバイル装置の拡張位置において第２の支持板に隣接するように位置付けられてフレキシブルディスプレイを支持するように構成され得る。第１の支持板はまた、装置の後退位置において第２の支持板の上に位置付けられるように構成される。第１の支持板が第２の支持板に乗り上げるとき、第２の支持板を第１の支持板の下方の位置に保持するように押し下げ、第１及び第２の支持板はスライド式に嵌合する。
【００１１】
実装において、フレキシブルディスプレイは、例えばＡＭＯＬＥＤ層上にラミネートされたタッチセンサ層と該タッチセンサ層上のラミネートされたカバーフィルム又はハードコーティングとを有するものなど、様々な層の表示スタック（積層体）とし得る。拡大可能なモバイル装置の拡張位置において、第２の支持板は、拡張されたフレキシブルディスプレイスタックの剛性支持表面を提供する。例えばバネ又はその他の張力機構などの作動（アクチュエーション）機構を用いて、フレキシブルディスプレイスタックを支持するように第２の支持板を拡大可能なモバイル装置の内部から押し上げて、第２の支持板の配置及びその維持が行われる。装置が後退されるとき、この作動機構は解放され、第１の支持板の下方の位置に保持するように第２の支持板を押し下げて、第１の支持板が第２の支持板に乗り上げるよう、第１及び第２の支持板はスライド式に嵌合する。
【００１２】
拡大可能なモバイル装置の特徴及び概念は、様々な装置、システム及び／又は構成にて実現され得るが、ここでは、拡大可能なモバイル装置の実施形態を以下の例に係る装置、システム及び方法との関連で説明する。
【００１３】
図１は、ここに記載の実施形態に従った拡大可能なモバイル装置１０２の例１００を示している。拡大可能なモバイル装置は、一体化バックライトを必要とせずに自発光する例えばフレキシブルＯＬＥＤディスプレイ又はフレキシブルＡＭＯＬＥＤ（アクティブマトリクス型有機発光ダイオード）ディスプレイなどの、フレキシブルディスプレイ１０４を含んでいる。他の例では、フレキシブルディスプレイは、フレキシブルなバックライトで照明されるフレキシブルＬＣＤディスプレイとして実装されてもよい。
【００１４】
拡大可能なモバイル装置１０２は、閉じられた位置すなわち後退位置１０６で示されるとともに、フレキシブルディスプレイ１０４の表示面積をおよそ倍増する開かれた位置すなわち拡張位置１０８でも示されている。拡大可能なモバイル装置は、第１の筐体部分１１０と第２の筐体部分１１２とを含んでおり、これらの筐体部分は、装置の拡張及び後退を行うよう、互いに対してスライド式に嵌合するように動作する。この例においては、第２の筐体部分が第１の筐体部分の外へ、そして中へとスライドするように実装されている。これに代わる実装においては、拡大可能なモバイル装置は、装置及びフレキシブルディスプレイを拡大するように広がる複数のステージを備えた、例えば３セクション嵌め込み式装置など、更なる筐体部分を有するように構成されてもよい。
【００１５】
拡大可能なモバイル装置１０２は、フレキシブルディスプレイとともに拡大するように構成された如何なる形態の消費者装置、コンピュータ装置、メディア再生装置、通信装置、ナビゲーション装置、ゲーム装置、及び／又は電子装置にて実装されてもよい。例えば、拡大可能なモバイル装置は、参照符号１１４にて示すような閉じられた後退位置に装置があるときにもフレキシブルディスプレイの或る部分が常に視認可能である移動電話装置として実装されてもよい。そして、ユーザは、参照符号１１６で示すようなフレキシブルディスプレイの表示面積をおよそ倍増する拡張位置、及び参照符号１１８で示すような回転された位置まで、装置をスライドさせて開くことができる。拡大可能なモバイル装置１０２は、図５に示す電子装置例を参照して更に説明するように、様々なコンポーネントの何らかの組み合わせを用いて実装され得る。また、拡大可能なモバイル装置は、方向検出及び操作性のため、ソフトウェア、ファームウェア、ハードウェア及び処理コンポーネントの組み合わせを含むことができる。
【００１６】
図２は、図１を参照して説明した一体化フレキシブルディスプレイ１０４を備えた拡大可能なモバイル装置１０２の例２００を更に示している。閉じられた後退位置２０２と、開かれた拡張位置２０４とで装置を示している。また、装置の上面図２０６も示している。拡大可能なモバイル装置は、第１の筐体部分１１０内に一体化されたローラ２０８と、該ローラとギアで嵌合するように実装されたキャリアトラック２１０とを含んでいる。この例において、キャリアトラックは、接続軸２１２によって結合される固定半径のローラ２０８の周りを転がり且つそれに噛み合わされるキャタピラ型のトラックとして実装されている。一実装例において、フレキシブルディスプレイ１０４は、当該フレキシブルディスプレイの２つの側端部（サイドエッジ）に沿ってキャリアトラック２１０に固定される。
【００１７】
フレキシブルディスプレイ１０４は、第２の筐体部分１１２が第１の筐体部分１１０から滑り出るときに、拡大可能なモバイル装置１０２の内部２１４から拡張するように実装される。フレキシブルディスプレイはまた、第２の筐体部分が第１の筐体部分に滑り入るときに、拡大可能なモバイル装置の内部に後退するように実装される。キャリアトラック２１０は、装置の第１の筐体部分内に一体化された固定半径のローラ２０８の周りを転がり、キャリアトラックが屈曲するとき、フレキシブルディスプレイは固定半径２１６で屈曲し、拡大可能なモバイル装置の後退位置２０２において、当該フレキシブルディスプレイの第１の見える部分２１８が、当該フレキシブルディスプレイの第２の格納部分２２０に対して略平行に位置付けられる。ローラが２２２でフレキシブルディスプレイを１８０°の曲げで屈曲させることで、装置の後退位置において、フレキシブルディスプレイの見える部分が、フレキシブルディスプレイの格納部分に対して略平行に位置付けられる。
【００１８】
フレキシブルディスプレイ１０４の第２の部分２２０は、ローラ２０８上で固定半径２１６で屈曲し、拡大可能なモバイル装置の拡張位置２０４にて第１の筐体部分１１０から拡張する。ＡＭＯＬＥＤフレキシブルディスプレイのフレキシブルディスプレイスタック（例えば、ＴＦＴ（薄膜トランジスタ）アレイ）の屈曲の影響を受けやすいパラメータに許容される最小曲げ半径が、ローラによって提供される。上述のように、フレキシブルディスプレイ１０４は、例えばＡＭＯＬＥＤ層上にラミネートされたタッチセンサ層と該タッチセンサ層上のラミネートされたカバーフィルム又はハードコーティングとを有するものなど、様々な層の表示スタックとして実装されることができる。
【００１９】
キャリアトラック２１０及びフレキシブルディスプレイスタックは、固定半径のローラ２０８上に巻き取られない。むしろ、キャリアトラックは巻取フィルム２２４（例えば、薄い材料のシート）に取り付けられ、該巻取フィルム２２４が、固定半径のローラの反対側で第１の筐体部分内に一体化してバネ荷重巻取ローラ２２６まで延在する。巻取フィルム２２４は、フレキシブルディスプレイ１０４の後縁とキャリアトラック２１０の端部との双方に取り付けられる。拡大可能なモバイル装置が閉じられるとき、装置が後退位置まで移行するにつれて、巻取フィルム２２４が巻取ローラ２２６に巻き取られる。巻取ローラ２２６は、例えばバネ荷重テンショナの作用などによって、予め張力を掛けられており、位置決めローラ２２８を用いて、装置が後退位置に移行されるときに巻取径が増大しても巻取フィルム２２４がアライメントされた方向を維持することが確保される。
【００２０】
巻取フィルム２２４をフレキシブルディスプレイスタックの後縁に取り付けることの利点は、拡大可能なモバイル装置の開かれた拡張位置２０４において表示される部分を超えて必要とされるディスプレイ材料（例えば、ＯＬＥＤ、ＡＭＯＬＥＤ）の量が最小化されることである。さらに、必要に応じての巻取フィルム２２４は、スライダー機構の双安定作用に加えてバネ荷重テンショナ及び位置決めローラの作用によってフレキシブルディスプレイが格納されることを可能にし、故に、拡大可能なモバイル装置が後退位置へと閉じられるときにフレキシブルディスプレイの皺や歪みの傾向が回避される。これに代わる実装において、フレキシブルディスプレイは、必要に応じての巻取フィルム及びテンショナ巻取ではないその他の機構を用いて、例えばキャリアトラックに接続されたレバーに作用するバネを用いるなどによって、張力を掛けられてもよい。あるいは、フレキシブルディスプレイは、フレキシブルディスプレイスタックの剛性及び／又は硬さに応じて、張力を掛けられなくてもよい。このような実装においては、フレキシブルディスプレイは、キャリアトラック間で硬いままであり、双安定スライド機構のバネの作用によって後退位置へと押し込まれる。
【００２１】
実施形態において、拡大可能なモバイル装置１０２は、フレキシブルディスプレイを支持する支持板を含んでいる。第１の支持板２３０が、装置の後退位置２０２及び拡張位置２０４の双方において、フレキシブルディスプレイ１０４の第１の部分２１８を支持する。フレキシブルディスプレイ１０４及び第１の支持板２３０は、位置２３２で第１の筐体部分１１０に取り付けられ、また、フレキシブルディスプレイはキャリアトラック２１０の頂部に取り付けられる。装置の拡張位置においてフレキシブルディスプレイの第２の部分２２０が装置の内部２１４から外に拡張されるとき、第２の支持板２３４が、フレキシブルディスプレイの第２の部分２２０を支持する。第２の支持板は、拡大可能なモバイル装置の拡張位置において、フレキシブルディスプレイの第２の部分の下に当該第２の支持板を持ち上げて堅く位置付けるように作動するよう構成される。
【００２２】
一実装例において、例えばバネ又はその他の張力機構などの作動機構２３６を用いて、フレキシブルディスプレイ１０４を支持するように第２の支持板を拡大可能なモバイル装置１０２の内部２１４から押し上げて、第２の支持板の配置及びその維持が行われる。装置が後退されるとき、この作動機構は、ロック機構リリースへの閉じる力の印加によって解放されることができ、第１の支持板の下方で保持される位置まで第２の支持板を押し下げて第１の支持板２３０が第２の支持板２３４に乗り上げるよう、位置２３８で第１及び第２の支持板がスライド式に嵌合する。第１の支持板は、拡大可能なモバイル装置の後退位置２０２において、第２の支持板の上方に当該第１の支持板を位置付けるように、第２の支持板と嵌合する。キャリアトラック２０８は、ローラ２０８にギアで噛み合うように実装され、拡大可能なモバイル装置１０２の拡張位置２０４において、第２の支持板２３４に隣接させて第１の支持板２３０を位置付ける。
【００２３】
拡大可能なモバイル装置１０２はまた、ユーザが装置の開閉を開始して拡大可能なモバイル装置が拡張され後退されるときに第１及び第２の筐体部分を付勢（バイアス）するように実装される例えばバネアセンブリなどの双安定機構を含むことができる。実装において、装置の第１及び第２の筐体部分は透明であってもよく、フレキシブルディスプレイ１０４の第２の部分２２０は、装置の後退位置２０２において、拡大可能なモバイル装置の底部から第１及び第２の筐体部分を通して見ることができてもよい。
【００２４】
図３は、図１を参照して説明した拡大可能なモバイル装置１０２の他の一例３００を更に示している。閉じられた後退位置３０２と、開かれた拡張位置３０４とで装置を示している。この例において、拡大可能なモバイル装置は、フレキシブルディスプレイ３１０とタッチセンサ３１２（又は、例えばその他の種類のカバーフィルム）との間に空隙３０８を有するように実装されたフレキシブルディスプレイスタック３０６を含んでいる。この実施形態において、タッチセンサはフレキシブルディスプレイにラミネートされるのでなく、タッチセンサは、単に装置の固定された端部で、フレキシブルディスプレイに固着３１４されている。
【００２５】
フレキシブルディスプレイ３１０は、当該フレキシブルディスプレイの２つの側端部に沿ってキャリアトラック３１６に固定される。フレキシブルディスプレイ３１０とタッチセンサ３１２との間に空隙を有するこのディスプレイスタック構成において、タッチセンサは、拡張されて格納される装置の範囲全体で、フレキシブルディスプレイに対して動くことができ、フレキシブルディスプレイは、拡大可能なモバイル装置の内部に後退するように屈曲する。また、装置の固定端でフレキシブルディスプレイに固着されたタッチセンサは、当該タッチセンサの反対側の端部が巻取フィルム及びテンショナ巻取に取り付けられているので、拡張されて後退される装置の範囲全体で、当該タッチセンサをピンと張った位置でフレキシブルディスプレイ上に維持する。
【００２６】
図２に示した拡大可能なモバイル装置１０２を参照して述べたように、装置は第１の筐体部分１１０内に一体化されたローラ３１８を含んでおり、キャリアトラック３１６が該ローラとギアで嵌合するように実装されている。この例において、キャリアトラックは、接続軸によって結合される固定半径のローラ３１８の周りを転がり且つそれに噛み合わされるキャタピラ型のトラックとして実装されている。
【００２７】
フレキシブルディスプレイスタック３０６は、第２の筐体部分１１２が第１の筐体部分１１０から滑り出るときに、拡大可能なモバイル装置１０２の内部３２０から拡張するように実装される。フレキシブルディスプレイスタックはまた、第２の筐体部分が第１の筐体部分に滑り入るときに、拡大可能なモバイル装置の内部に後退するように実装される。キャリアトラック３１６は、装置の第１の筐体部分内に一体化された固定半径のローラ３１８の周りを転がり、キャリアトラックが屈曲するとき、フレキシブルディスプレイスタックは固定半径３２２で屈曲し、拡大可能なモバイル装置の後退位置３０２において、当該フレキシブルディスプレイスタックの第１の見える部分３２４が、当該フレキシブルディスプレイスタックの第２の格納部分３２６に対して略平行に位置付けられる。
【００２８】
ローラが３２８でフレキシブルディスプレイスタックを１８０°の曲げで屈曲させることで、装置の後退位置において、フレキシブルディスプレイスタックの見える部分が、フレキシブルディスプレイスタックの格納部分に対して略平行に位置付けられる。フレキシブルディスプレイスタック３０６の第２の部分３２６は、ローラ３１８上で固定半径３２２で屈曲し、拡大可能なモバイル装置の拡張位置３０４にて第１の筐体部分１１０から拡張する。フレキシブルディスプレイスタックの屈曲の影響を受けやすいパラメータに許容される最小曲げ半径が、ローラによって提供される。
【００２９】
タッチセンサ３１２の端部は、巻取フィルム３３０（例えば、薄い材料のシート）に取り付けられ、該巻取フィルムは、固定半径のローラの反対側で第１の筐体部分内にバネ荷重されて一体化される巻取ローラ３３２まで延在する。拡大可能なモバイル装置が閉じられるとき、装置が後退位置まで移行するにつれて、巻取フィルム３３０が巻取ローラに巻き取られる。巻取ローラはまた、例えばバネ荷重テンショナの作用などによって、予め張力を掛けられることができ、位置決めローラ３３４を用いて、装置が後退位置に移行されるときに巻取径が増大しても巻取フィルムがアライメントされた方向を維持することが確保される。巻取ローラを用いることで、この実装例においてはフレキシブルディスプレイスタック３０６のフレキシブルディスプレイ３１０にラミネートされていないタッチセンサ３１２に張力が与えられる。他の例では、ディスプレイスタック構成は、タッチセンサを参照してここに記載したのと同様にして、巻取フィルムに取り付けられた保護カバーフィルムを含んでいてもよい。このような構成においては、タッチセンサはフレキシブルディスプレイ又はその一部にラミネートされる。
【００３０】
実施形態において、拡大可能なモバイル装置１０２は、フレキシブルディスプレイスタックを支持する支持板を含んでいる。第１の支持板３３６が、装置の後退位置３０２及び拡張位置３０４の双方において、フレキシブルディスプレイスタックの第１の部分３２４を支持する。フレキシブルディスプレイスタック及び第１の支持板は、位置３３８で第１の筐体部分１１０に取り付けられ、また、フレキシブルディスプレイスタックはキャリアトラック３１６の頂部に取り付けられる。装置の拡張位置においてフレキシブルディスプレイスタックの第２の部分３２６が装置の内部３２０から外に拡張されるとき、第２の支持板３４０が、フレキシブルディスプレイスタックの第２の部分３２６を支持する。第２の支持板は、拡大可能なモバイル装置の拡張位置において、フレキシブルディスプレイスタックの第２の部分の下に当該第２の支持板を持ち上げて堅く位置付けるように作動するよう構成される。
【００３１】
一実装例において、例えばバネ又はその他の張力機構などの作動機構３４２を用いて、フレキシブルディスプレイスタックを支持するように第２の支持板を拡大可能なモバイル装置１０２の内部から押し上げて、第２の支持板３４０の配置及びその維持が行われる。装置が後退されるとき、この作動機構は、ロック機構リリースへの閉じる力の印加によって解放されることができ、第１の支持板の下方で保持される位置まで第２の支持板を押し下げて第１の支持板３３６が第２の支持板３４０に乗り上げるよう、位置３４４で第１及び第２の支持板がスライド式に嵌合する。第１の支持板は、拡大可能なモバイル装置の後退位置３０２において、第２の支持板の上方に当該第１の支持板を位置付けるように、第２の支持板と嵌合する。
【００３２】
図４は、拡大可能なモバイル装置の方法例４００を示している。方法ブロックが記載される順序は、限定として解釈されることを意図したものではなく、また、記載の方法ブロックのうちの任意数が、方法又は代替方法を実行するように如何なる順序で組み合されてもよい。
【００３３】
ブロック４０２にて、拡大可能なモバイル装置の複数の筐体部分が、当該装置を拡張させ後退させるように、互いに対してスライド式に嵌合される。例えば、拡大可能なモバイル装置１０２（図１）は、当該装置の拡張及び後退を行うように互いに対してスライド式に嵌合される第１の筐体部分１１０及び第２の筐体部分１１２を含む。ブロック４０４にて、１つの筐体部分が他の筐体部分から滑り出るとき、フレキシブルディスプレイが装置の内部から拡張される。例えば、拡大可能なモバイル装置１０２は、第２の筐体部分１１２が第１の筐体部分１１０から外にスライドするときに装置の内部２１４（図２）から拡張するフレキシブルディスプレイ１０４を含んでいる。フレキシブルディスプレイは、ローラ２０８上で固定半径２１６で屈曲し、拡大可能なモバイル装置の拡張位置２０４において第１の筐体部分１１０から拡張する。
【００３４】
ブロック４０６にて、１つの筐体部分が他の筐体部分内に滑り入るとき、フレキシブルディスプレイが装置の内部に後退される。例えば、第２の筐体部分１１２が第１の筐体部分１１０内にスライドするとき、フレキシブルディスプレイ１０４が拡大可能なモバイル装置１０２の内部に後退する。ブロック４０８にて、装置の後退位置において、フレキシブルディスプレイが固定半径で屈曲し、当該フレキシブルディスプレイの第１の部分を、当該フレキシブルディスプレイの第２の部分に対して略平行に位置付ける。例えば、拡大可能なモバイル装置の後退位置２０２において、フレキシブルディスプレイ１０４が固定半径２１６で屈曲し、当該フレキシブルディスプレイの第１の見える部分２１８を、当該フレキシブルディスプレイの第２の格納部分２２０に対して略平行に位置付ける。
【００３５】
ブロック４１０にて、フレキシブルディスプレイが１８０°の曲げで屈曲し、当該フレキシブルディスプレイの第１の部分を、当該フレキシブルディスプレイの第２の部分に対して略平行に位置付ける。例えば、ローラ２０８がフレキシブルディスプレイ１０４を位置２２２で１８０°屈曲させ、当該フレキシブルディスプレイの第１の見える部分２１８を、当該フレキシブルディスプレイの第２の格納部分２２０に対して略平行に位置付ける。
【００３６】
ブロック４１２にて、フレキシブルディスプレイは、装置の拡張位置及び後退位置の双方において支持板で支持される。例えば、拡大可能なモバイル装置１０２は、当該装置の後退位置２０２及び拡張位置２０４の双方においてフレキシブルディスプレイ１０４の第１の部分２１８を支持する第１の支持板２３０を含む。拡大可能なモバイル装置はまた、当該装置の拡張位置においてフレキシブルディスプレイの第２の部分が当該装置の内部２１４から外に拡張されるときにフレキシブルディスプレイの第２の部分２２０を支持する第２の支持板２３４を含む。第２の支持板は、拡大可能なモバイル装置の拡張位置において、フレキシブルディスプレイの第２の部分の下に当該第２の支持板を位置付けるように作動するよう構成される。
【００３７】
ブロック４１４にて、装置の拡張位置において、第１の支持板が第２の支持板の隣に位置付けられる。例えば、拡大可能なモバイル装置１０２の拡張位置２０４において、第１の支持板２３０が第２の支持板２３４の隣に位置付けられる。ブロック４１６にて、装置の後退位置において、第１の支持板が第２の支持板の上に位置付けられる。例えば、第１の支持板と第２の支持板とが位置２３８でスライド式に嵌合し、上方にバネ荷重される第２の支持板を、第１の支持板の下方で保持される位置まで押し下げて、第１の支持板２３０が第２の支持板２３４に乗り上げる。
【００３８】
ブロック４１８にて、拡大可能なモバイル装置の拡張及び後退が行われるとき、筐体部分が双安定機構で付勢（バイアス）される。例えば、拡大可能なモバイル装置１０２は、ユーザが装置の開閉を開始して拡大可能なモバイル装置が拡張され後退されるときに第１及び第２の筐体部分を付勢するように実装される例えばバネアセンブリなどの双安定機構２４０を含む。
【００３９】
図５は、図１−４を参照して説明した拡大可能なモバイル装置のうちの何れかとして実装されることが可能な装置例５００7の様々なコンポーネントを示している。実施形態において、この装置は、如何なる形態の消費者装置、コンピュータ装置、可搬式装置、ユーザ装置、通信装置、電話装置、ナビゲーション装置、テレビジョン装置、家庭用電気機器、ゲーム装置、メディア再生装置、及び／又は電子装置にて実装されてもよい。この装置はまた、ユーザ、ソフトウェア、ファームウェア、ハードウェア、及び／又は装置の組み合わせを含め、装置が論理装置を記述するように装置を操作するユーザ（すなわち、人物）及び／又はエンティティに関連付けられ得る。
【００４０】
装置５００は、例えば、受信したデータ、受信されているデータ、ブロードキャスト用にスケジュールされたデータ、データのデータパケットなど、装置データ５０４の有線通信及び／又は無線通信を可能にする通信デバイス５０２を含んでいる。装置データ又はその他の装置コンテンツは、装置のコンフィギュレーション設定、装置に格納されたメディアコンテンツ、及び／又は装置のユーザに関連付けられた情報を含むことができる。装置に格納されたメディアコンテンツは、如何なる種類のオーディオデータ、ビデオデータ、及び／又は画像データをも含み得る。当該装置は、１つ以上のデータ入力５０６を含んでおり、それを介して、例えばユーザ選択可能な入力、並びに何らかのコンテンツ及び／又はデータの供給源から受信されるその他種類のオーディオデータ、ビデオデータ及び／又は画像データなど、任意の種類のデータ、メディアコンテンツ、及び／又は入力を受信することができる。
【００４１】
装置５００はまた、例えばシリアルインタフェース、パラレルインタフェース、ネットワークインタフェース、又は無線インタフェースのうちの何れか１つ以上などの、通信インタフェース５０８を含んでいる。通信インタフェースは、その他の電子装置、コンピューティング装置、及び通信装置が当該装置と通信するための、当該装置と通信ネットワークとの間の接続及び／又は通信リンクを提供する。
【００４２】
装置５００は、様々なコンピュータ実行可能命令を処理して当該装置の動作を制御する１つ以上のプロセッサ５１０（例えば、マイクロプロセッサ、コントローラ、及びこれらに類するもののうちの何れか）を含んでいる。これに代えて、あるいは加えて、当該装置は、参照符号５１２にて全体として特定される処理・制御回路とともに実装されるソフトウェア、ハードウェア、ファームウェア、又は固定ロジック回路のうちの何れか１つ又は組み合わせを用いて実装されることができる。図示していないが、当該装置は、当該装置内の様々なコンポーネントを結合するシステムバス又はデータ転送システムを含むことができる。システムバスは、例えばメモリバス若しくはメモリコントローラ、周辺バス、ユニバーサルシリアルバス、及び／又は多様なバスアーキテクチャのうちの何れかを利用するプロセッサ若しくはローカルバスなどの、様々なバス構造のうちの何れか１つ又は組み合わせを含むことができる。
【００４３】
装置５００はまた、例えばランダムアクセスメモリ（ＲＡＭ）、不揮発性メモリ（例えば、読み出し専用メモリ（ＲＯＭ）、フラッシュメモリなど）、及びディスク記憶デバイスなどの、データ記憶を可能にする１つ以上の記憶デバイス５１４を含んでいる。ディスク記憶デバイスは、例えばハードディスクドライブ、記録可能ディスク及び／又は書換可能ディスクなど、何らかの種類の磁気記憶装置又は光記憶装置として実現され得る。当該装置はまた、大容量記憶媒体装置を含み得る。
【００４４】
コンピュータ読み取り可能媒体は、コンピューティング装置によってアクセスされる如何なる利用可能な媒体又はメディアともし得る。例として、また限定としてではなく、コンピュータ読み取り可能媒体は、記憶媒体及び通信媒体を有し得る。記憶媒体は、例えばコンピュータ読み取り可能命令、データ構造、プログラムモジュール、又はその他のデータなどの情報を記憶するための何らかの方法又は技術にて実現される揮発性及び不揮発性の、リムーバブル及び非リムーバブルな媒体を含む。記憶媒体は、以下に限られないが、ＲＡＭ、ＲＯＭ、ＥＥＰＲＯＭ、フラッシュメモリ若しくはその他のメモリ技術、ＣＤ−ＲＯＭ、デジタル多用途ディスク（ＤＶＤ）、若しくはその他の光ストレージ、磁気カセット、磁気テープ、磁気ディスクストレージ若しくはその他の磁気記憶装置、又は、情報を格納するために使用されることが可能であり且つコンピュータによってアクセスされることが可能なその他の媒体を含む。
【００４５】
通信媒体は典型的に、例えば搬送波又はその他の輸送機構などの変調データ信号にて、コンピュータ読み取り可能命令、データ構造、プログラムモジュール、又はその他のデータを具現化する。通信媒体はまた、何らかの情報伝送媒体を含む。変調データ信号は、その複数の特性のうちの１つ以上が、その信号内に情報をエンコードするように設定あるいは変化される。例として、また限定ではなく、通信媒体は、例えば有線ネットワーク又は直接配線接続などの有線媒体、並びに、例えば音響、ＲＦ、赤外線及びその他の無線媒体などの無線媒体を含む。
【００４６】
記憶デバイス５１４は、装置データ５０４、その他の種類の情報及び／又はデータ、並びにさまざまな装置アプリケーション５１６を格納するデータ記憶機構を提供する。例えば、オペレーティングシステム５１８が、記憶デバイスを用いてソフトウェアアプリケーションとして管理され、プロセッサ上で実行され得る。装置アプリケーションはまた、例えば制御アプリケーション、ソフトウェアアプリケーション、信号処理・制御モジュール、特定の装置に自生するコード、特定の装置のハードウェア抽象化レイヤなどのうちの何れかの形態などであるデバイスマネジャを含み得る。
【００４７】
装置５００はまた、オーディオシステム５２２用のオーディオデータの生成、及び／又は例えば一体化フレキシブルディスプレイなどのディスプレイシステム５２４用の表示データの生成、を行うオーディオ及び／又はビデオ処理システム５２０を含んでいる。オーディオシステム及び／又はディスプレイシステムは、オーディオデータ、ビデオデータ、表示データ、及び／又は画像データを処理し、表示し、且つ／或いはその他の方法で表現する如何なる装置を含んでいてもよい。表示データ及びオーディオ信号は、オーディオ装置及び／又は表示装置に、ＲＦ（無線周波数）リンク、Ｓ−ビデオリンク、コンポジットビデオリンク、コンポーネントビデオリンク、ＤＶＩ（デジタルビデオインタフェース）、アナログオーディオ接続、又はその他の同様の通信リンクを介して通信されることができる。実装において、オーディオシステム及び／又はディスプレイシステムは、この装置例の一体化コンポーネントである。他の例では、オーディオシステム及び／又はディスプレイシステムは、当該装置に対する外付けコンポーネントである。
【００４８】
以上、拡大可能なモバイル装置の実施形態を機構及び／又は方法に特有の言葉で説明してきたが、添付の請求項に係る事項は必ずしも、記載した特定の機構又は方法に限定されるものではない。むしろ、これらの機構及び方法は、拡大可能なモバイル装置の実装例として開示されたものである。
【図１】
2014531796.tif 000003
【図２】
2014531796.tif 000004
【図３】
2014531796.tif 000005
【図４】
2014531796.tif 000006
【図５】
2014531796.tif 000007
【国際調査報告】
2014531796.tif 000008
2014531796.tif 000009